【手続補正書】
【提出日】平成16年12月24日(2004.12.24)
【手続補正１】
【補正対象書類名】特許請求の範囲
【補正対象項目名】全文
【補正方法】変更
【補正の内容】
【特許請求の範囲】
【請求項１】
ステージライティング装置の光ビームを形作る方法であって、
第１の形状の光ビームを形成し、
モーフィングの目標として第２の形状を定め、
前記光ビームの形状を第１の形状から第２の形状へとモーフィングする
ことを含んでなる方法。
【請求項２】
請求項１に記載の方法において、
前記光ビームの形状が、モーフィングの開始時点とモーフィングの終了時点との間で定義された複数の時間断片における前記第１の形状と前記第２の形状との間の複数の中間形状を経て、前記第１の形状から前記第２の形状へと変更される
ことを特徴とする方法。
【請求項３】
請求項１に記載の方法において、
前記第１の形状の光ビームを形成し及び前記光ビームの形状をモーフィングするにあたり、選択的に偏向可変である反射装置エレメントの配列に前記光ビームを通して前記列の一部のエレメントが前記光ビームの一部を選択的に反射する
ことを特徴とする方法。
【請求項４】
投影される通過光の形状を変更する光投影装置であって、
入力影像を受け取り同入力影像に何らかの変更を加えて変更された影像を形成するタイプの影像処理ソフトウェアを動作させるプロセッサエレメントであって、同プロセッサエレメントは、前記影像処理ソフトウェアを用いて前記影像を変更し、変更された影像を示す出力信号を生成するプロセッサエレメントと、
前記プロセッサエレメントに接続されるとともに前記出力信号に応答するデジタル式光変更装置であって、同デジタル式光変更装置は、前記変更された影像の電気信号値に基づいて光を伝送する領域を生成することにより伝送される光の形状を決めるデジタル式光変更装置と
を備えてなる装置。
【請求項５】
請求項４に記載の装置において、
前記デジタル式光変更装置が、複数の個別のエレメントを含み、同エレメントの各々が最終的な光景の一部を制御する
ことを特徴とする装置。
【請求項６】
請求項４に記載の装置において、
前記光変更装置が、第１の位置と第２の位置との間で選択的に切り替え可能なミラーである
ことを特徴とする装置。
【請求項７】
ソフトウェアに基づくシステムを用いてゴーボーの形状を定めることにより同ゴーボーの形状の影像を示すコンピュータファイルを設け、
同ファイルを使用して、コンピュータファイルの表す影像を形成するとともに、当該コンピュータファイルから形成されたゴーボーに従って形成される光ビームのステージ上への投影を制御する
ことを含んでなるゴーボーの作動方法。
【請求項８】
請求項７に記載の方法において、
前記定められたゴーボーの形状がステンシルであり、前記影像が同ステンシル形状の内部にある光である
ことを特徴とする方法。
【請求項９】
請求項７に記載の方法において、
前記定められた形状の相補形状が前記影像を投影するために用いられる
ことを特徴とする方法。
【請求項１０】
請求項７に記載の方法において、
前記ゴーボーの形状を定めるにあたり、表示中のゴーボーの形状を変更するために前記影像に影像処理操作を実行して影像処理が施された影像を形成し、前記形状はその影像処理操作が行われる度に変更される
ことを特徴とする方法。
【請求項１１】
請求項１０に記載の方法において、
前記影像処理操作が、エッジ効果処理と、影像形状処理と、デューティサイクル処理操作のうちのいずれか１つである
ことを特徴とする方法。
【請求項１２】
請求項１０に記載の方法であって、
さらに、前記影像処理が施された様々な影像を表示すべき時間断片を規定し、前記規定された時間において前記影像処理ソフトウェアにより生じる変化を表示することを含む
ことを特徴とする方法。
【請求項１３】
請求項７に記載の方法であって、
さらに、ソフトウェア内で前記影像を変更し、それが変更されるに従ってその変更された影像を表示することを含む
ことを特徴とする方法。
【請求項１４】
請求項１０に記載の方法において、
前記影像処理操作が、前記定められた形状の回転を含む
ことを特徴とする方法。
【請求項１５】
請求項１０に記載の方法において、
前記影像処理操作が、前記定められた形状を第１の形状から第２の形状へモーフィングすることを含む
ことを特徴とする方法。
【請求項１６】
請求項１０に記載の方法において、
前記影像処理操作が、前記影像の別の部分とは異なるグレイスケール値を有する前記影像のエッジを形成することを含む
ことを特徴とする方法。
【請求項１７】
請求項１０に記載の方法において、
前記影像処理操作が、前記定められた形状の色を修正することを含む
ことを特徴とする方法。
【請求項１８】
請求項１０に記載の方法において、
前記影像処理操作が、前記定められた形状をストロボ点滅させてその強度を変更することを含む
ことを特徴とする方法。
【請求項１９】
ソフトウェアに基づくシステムを用いてゴーボーの形状を定めることにより同ゴーボーの形状の影像を示すコンピュータファイルを設け、
同コンピュータファイルを使用して光の影像をステージ上に投影し、その場合、光をステージに伝送すべくリフレクタを第１の姿勢にするように指令を出し、ステージから離れる方向へ光を反射すべくリフレクタを第２の姿勢にするように指令を出す
ことを含んでなるゴーボーの操作方法。
【請求項２０】
ソフトウェアに基づくシステムを用いてゴーボーの形状を定めることにより同ゴーボーの形状の影像を示すコンピュータファイルを設け、
同ファイルを使用して光の影像をステージ上に投影し、
前記ゴーボーの形状を定めるにあたり、ステージ上の演技者の形状を監視し、ステージ上の演技者の形状に近似した影像を形成するとともに、
前記コンピュータファイルの使用にあたり、ステージ上に投影されるスポットの形を作るために前記影像を使用してステージ上の演技者の形状に近似したスポットが形成される
ようにしたゴーボーの操作方法。
【請求項２１】
ステージ照明装置におけるステージに伝送される光ビームの形状を変更する方法であって、
反射方向を変更すべく制御可能な複数のリフレクタを設け、
前記リフレクタのうちの一部のリフレクタがステージへの光の伝送を許容するとともに、前記リフレクタのうちの他のリフレクタが光をステージから外れるように反射するように前記リフレクタを制御し、これによりステージに向けて反射される光ビームの形状を作る
ことを含んでなる方法。
【請求項２２】
請求項２１に記載の方法において、
前記リフレクタの制御にあたり、ステージから外れる第１の方向に光を反射すべく前記リフレクタの一部のものを制御し、ステージに向かう第２の方向に光を反射すべく前記リフレクタのうちの他のものを制御する
ことを特徴とする方法。
【請求項２３】
請求項２１に記載の方法において、
前記リフレクタの制御にあたり、影像を示すデジタル式のファイルを形成し、前記リフレクタの状態を制御すべく前記デジタル式ファイルの値を前記リフレクタにマッピングする
ことを特徴とする方法。
【請求項２４】
請求項２３に記載の方法であって、
さらに、影像処理用ソフトウェアを用いて前記影像に影像処理を施すことを含む
ことを特徴とする方法。
【請求項２５】
影像を表すデジタル表現のファイルを取得し、
前記デジタル表現のファイルを、同ファイルの内容に基いて通過光形状を形成すべくデジタル式投影ゲートを駆動する表示コントローラに結合し、
前記デジタル式投影ゲートを使用して通過する光の形状を変更し、
前記デジタル表現ファイルの内容を変更し、これにより前記デジタル式投影ゲートの光の通過特性を変更する
ことを含んでなる光ビーム変更方法。
【請求項２６】
請求項２５に記載の方法において、
前記ファイルの内容を変更するにあたり、影像処理ソフトウェアを用いて前記影像の内容に影像処理を施す
ことを特徴とする方法。
【請求項２７】
請求項２６に記載の方法において、
前記ファイル内容の変更にあたり、第１の影像を示す表現から第２の影像を示す表現へモーフィングを行う
ことを特徴とする方法。
【請求項２８】
請求項２６に記載の方法において、
前記ファイル内容の変更にあたり、影像を回転させる
ことを特徴とする方法。
【請求項２９】
光ビームを生成するライティングエレメントと、
印加される制御信号に基づいて光ビームを変更するエレメントを含むとともに前記制御信号は１つの形状を示す光変更装置と、
前記制御信号を形成するとともに前記制御信号を前記光変更装置に接続するプロセッサとを備えてなり、
前記制御信号は、時間とともに変化し、前記光変更装置は、前記制御信号の変化に応答して前記影像の形状を変更し、前記プロセッサは、前記形状を第１の形状と第２の形状との間でモーフィングすべく作動し、それにより、前記第１の形状と前記第２の形状との間でモーフィングされる出力光ビームを生成する
ステージライティング装置。
【請求項３０】
請求項２９に記載の装置において、
前記プロセッサが、時間の間隔を規定するとともに前記第１の形状と前記第２の形状との間の複数の中間形状を形成し、前記時間の間隔と同期する時点において前記中間形状を生成する時間断片化エレメントを含む
ことを特徴とする装置。
【請求項３１】
光ビーム修正エレメントの配列であって光ビームの経路に位置して制御信号に応じて制御可能であり且つ前記制御信号の変化に応答して変化する配列を含む、形状制御可能な光ビーム変更装置と、
前記形状制御可能な光ビーム変更装置に前記制御信号として印加され、その値が前記光ビームを形作るように適用される影像形状を示す、デジタル表現を記憶するメモリと、
ある影像の前記デジタル表現の何らかの特徴を変更すべく使用可能なタイプの影像処理ソフトウェアを含み、前記デジタル表現を修正するとともに前記制御信号を示す前記メモリに信号を連続的に供給するプロセッサと
を備えてなるステージライティング装置。
【請求項３２】
請求項３１に記載の装置において、
前記影像処理ソフトウェアが、前記影像を第２の影像へとモーフィングする動作を含む
ことを特徴とする装置。
【請求項３３】
請求項３１に記載の装置において、
前記影像処理ソフトウェアが前記影像を回転させる
ことを特徴とする装置。
【請求項３４】
請求項３１に記載の装置において、
前記影像処理ソフトウェアが、前記影像の位置をシフトする
ことを特徴とする装置。
【請求項３５】
請求項３１に記載の装置において、
前記影像処理ソフトウェアが、前記影像のエッジの特徴を修正する
ことを特徴とする装置。
【請求項３６】
請求項３１に記載の装置において、
前記光線変更装置が、電気的な制御信号に応答して同制御信号の内容に応じて光を異なる方向に反射する
ことを特徴とする装置。
【請求項３７】
光ビーム修正エレメントの配列であって光ビームの経路に位置して制御信号に応じて制御可能であり且つ前記制御信号の変化に応答して変化する配列を含む、形状制御可能な光ビーム変更装置と、
前記形状制御可能な光ビーム変更装置に前記制御信号として印加され、その値が前記光ビームを形作るように適用される影像形状を示す、デジタル表現を記憶するメモリと、
ある影像の前記デジタル表現の何らかの特徴を変更すべく使用可能なタイプの影像処理ソフトウェアを含み、前記デジタル表現を修正するとともに前記制御信号を示す前記メモリに信号を連続的に供給するプロセッサとを備えてなり、
前記光線変更装置が、前記制御信号に基づいて光の方向を変更するエレメントの配列を含むことを特徴とする
ステージライティング装置。
【請求項３８】
請求項３７に記載の装置において、
前記エレメントの配列が、デジタル式マイクロミラー装置である
ことを特徴とする装置。
【請求項３９】
強度が可変の影像をステージ上に表示する装置であって、
光ビーム修正エレメントのアレイを含み、前記アレイが光ビームの経路中に位置するとともに制御信号に応じて制御可能でかつ前記制御信号の変化に応答して変化する、形状制御可能な光ビーム変更装置と、
ある影像のデジタル表現を記憶するメモリであって、前記デジタル表現が前記制御信号として前記形状制御可能な光ビーム変更装置に印加され、前記表現が前記光ビームを形作るべく適用されるべき影像形状を示す、メモリと、
表示されるべき形状および同形状の所望の強度を規定するデータの入力を含み、所定の閾値よりも低い強度値に応答してデューティサイクル信号を生成するプロセッサとを備えてなり、
前記デューティサイクル信号は、視覚の持続よりも速いデューティサイクルで前記光変更装置の選択的なマスキング動作のために使用され、同マスキング動作は如何なる光をもディスプレーに投影されるのを防止して調光機能を果たす
ことを特徴とする装置。
【請求項４０】
複数の選択式方向反射装置であって、同装置の各々が印加される制御信号に応じて第１の方向または第２の方向に選択的に光を通す、選択式方向反射装置と、
前記複数の選択式方向反射装置と光学的に直列であるとともに、第１の方向に光を通している選択式方向反射装置からの光を受光して同装置からの前記光をステージに通す投影光学素子と、
前記制御信号を生成するとともに、ストロボ効果を提供するデューティサイクル動作を形成するプロセッサと
を備えてなるストロボゴーボー。
【請求項４１】
投影されるべきカラー影像を形成する方法であって、
影像の複数のカラー成分を示す情報を記憶し、その複数のカラー成分が協働して所定の時間における影像の一つのフレームを形成する、影像源メモリと、
電子的に制御可能なデジタルマイクロミラー装置と、
異なる時間に異なる特定のカラーの光を提供すべく制御可能である光フィルタ装置と、
前記影像源メモリ内の前記情報に従って前記デジタル式マイクロミラー装置及び前記光フィルタ装置をデジタル式に制御し、その制御は前記光フィルタ装置に生成させるカラー成分の制御と同期して前記デジタル式マイクロミラー装置を制御して一度には前記カラー成分の各一つを示す光景を生成させ、前記各フレームのための複数カラー成分は、全てが人間の目の視覚の持続よりも短い一度の時間に発生し、前記光景が平均化して知覚されるようにする制御である、制御装置とを備えてなり、
前記制御装置は、さらに前記デジタル式マイクロミラー装置を制御して、表示中の影像の外側エッジの形状を変化させてエッジが成形されたカラー影像を形成する
ことを特徴とするカラー影像投影装置。
【請求項４２】
電子装置内で光ビームを成形する方法であって、
光ビームを投影し、
前記光ビームの所望の形状を示す電子的影像を取得し、
前記光ビームの経路中に位置する電子的に制御可能な形状変更エレメントを制御するソフトウエアを使用し、
制御された前記形状変更エレメントに基づいて形成されている影像を投影する
ことを含んでなる方法。
【請求項４３】
請求項４２に記載の方法において、
前記ソフトウエアによる制御が、影像のエッジを処理して光ビームの形状のエッジ効果を変更することを含む
ことを特徴とする方法。
【請求項４４】
請求項４２に記載の方法であって、
さらに、前記影像を回転させて前記光ビームの形状を回転させることを含む
ことを特徴とする方法。
【請求項４５】
請求項４２に記載の方法であって、
さらに、前記影像のデューティサイクルを変更することを含む
ことを特徴とする方法。
【請求項４６】
請求項４２に記載の方法において、
前記影像を投影することが、影像を取得することと、前記影像の外周をステンシルとして使用することと、前記ステンシルの内側の部分を投影することと、前記ステンシルの外側の部分を投影しないこととを含む
ことを特徴とする方法。
【請求項４７】
請求項４２に記載の方法であって、
さらに、複数の影像をメモリに格納することと、前記メモリから前記影像の一つを選択することと、前記選択した影像を前記光ビームの形作りに使用することとを含む
ことを特徴とする方法。
【請求項４８】
請求項４７に記載の方法において、
メモリ内の前記影像がビットマップ影像である
ことを特徴とする方法。
【請求項４９】
請求項４８に記載の方法において、
前記ビットマップ影像が圧縮された形態で格納されている
ことを特徴とする方法。
【請求項５０】
請求項４７に記載の方法において、
前記メモリ内の前記影像が前記影像のベクトル化したバージョンを表している
ことを特徴とする方法。
【請求項５１】
請求項４７に記載の方法であって、
さらに、影像を表示している間にリアルタイムで前記影像を電子的に処理することを含む
ことを特徴とする方法。
【請求項５２】
請求項４２に記載の方法であって、
さらに、影像を表示している間にリアルタイムで前記影像を電子的に処理する影像処理ソフトウエアを使用することを含む
ことを特徴とする方法。
【請求項５３】
請求項５２に記載の方法において、
前記電子的処理が影像をモーフィングすることを含む
ことを特徴とする方法。
【請求項５４】
請求項５２に記載の方法において、
前記電子的処理が影像を回転させることを含む
ことを特徴とする方法。
【請求項５５】
請求項５２に記載の方法において、
前記電子的処理が影像を異なるサイズにスケーリングすることを含む
ことを特徴とする方法。
【請求項５６】
請求項５２に記載の方法において、
前記電子的処理が影像のエッジの様相を変更することを含む
ことを特徴とする方法。
【請求項５７】
請求項４２に記載の方法であって、
さらに、前記影像の変更をエッジ処理、影像処理、及びデューティサイクル処理の一つから選択し、その操作を前記影像に対して実行することを含む
ことを特徴とする方法。
【請求項５８】
請求項４２に記載の方法において、
前記電子的に制御可能な形状変更エレメントがデジタル式マイクロミラーである
ことを特徴とする方法。
【請求項５９】
光ビームの形成に使用する影像を取得すること、
投影されている光ビームの形成に前記影像を使用すること、
前記影像に対する変化を要求すること、
前記影像に対する変化を、少なくとも第一及び第二の断片を含む複数の断片に分割すること、
前記影像の変化の前記第一の断片と第二の断片との間の増分のための時間を決めること、及び
前記時間のそれぞれにおいて前記断片の一つを使用して、前記影像を第一の特性から第二の特性へ変化させること
を含んでなる形作られた光ビームを投影する方法。
【請求項６０】
請求項５９に記載の方法において、
前記影像を変化させることが、前記影像を回転させることを含み、その場合に前記影像の回転は各時点に生じる量の回転に断片化される
ことを特徴とする方法。
【請求項６１】
請求項５９に記載の方法において、
前記影像を変化させることが、前記影像をシフトすることであり、その場合に前記断片は一つの時間周期ごとのある数のピクセルのシフトである
ことを特徴とする方法。
【請求項６２】
請求項５９に記載の方法において、
前記影像を変化させることが、前記影像の移動速度を計算することと、前記影像の移動のための一断片当たりのピクセル数を決めることと、前記一断片当たりのピクセル数及び前記移動速度を用いて断片と断片の間の時間を決めることとを含む
ことを特徴とする方法。
【請求項６３】
請求項６２に記載の方法であって、
さらに、各時点において、新しい影像を計算することを含む
ことを特徴とする方法。
【請求項６４】
選択的に光を修正するエレメントを有し、光ビームの経路内に配置された、光形状変更装置であって、
複数のエレメントを有し、その各エレメントが影像の一つの部分を画定し、各エレメントは所望の照明対象に光を伝送する第一の状態と所望の照明対象から外れて光を反射する第二の状態の間で個別に制御可能である、第一の選択的光反射装置と、
所望の形状を取得しその形状を前記第一の選択的光反射装置のための制御信号に変換することにより、前記選択的光反射装置が所定の形状の光を前記所望の照明対象に伝送するようにする制御装置と
を備えてなる光線形状変更装置。
【請求項６５】
投影されるべきカラー影像を形成する方法であって、
前記影像の複数のカラーの成分（この複数のカラーの成分は協働して所定の時間における影像の一つのフレームを形成するのであるが）を示す影像源を形成し、
ステージに向かう方向およびステージから離れる方向に選択的に光を反射すべく選択式光反射装置を制御し、
前記カラー成分の各々を示す光景を生成する前記光反射装置と同調するとともに特定の色の光を供給する光フィルタリング装置を制御してなり、前記光景が全体で平均的なものとして知覚されるように、前記各フレームに対する前記カラー成分はすべて、人間の目の視覚の持続よりも短い時間だけ発生する、方法。